(57)【要約】【課題】読者アンケート用等の葉書を挟み込む労力が掛からず、紙代も嵩まず、資源の浪費にもならない様式で葉書と同等の機能を提供することができる書籍が望まれている。【解決手段】書籍１は、見返し２の遊び紙２ｂの紙面において、略長方形に画された長方形領域３を有する。長方形領域３は、短辺が８０ｍｍ〜１２０ｍｍ、又は、長辺が１３０ｍｍ〜１６５ｍｍである。長方形領域３と、当該紙面における長方形領域３以外の領域５とは、第一の切離し線４が境界となって区別されている。【選択図】図１
2016215616.tif 000002
【特許請求の範囲】
【請求項１】
見返しの遊び紙の紙面において、略長方形に画された長方形領域を有し、
前記長方形領域は、短辺が８０ｍｍ〜１２０ｍｍ、又は、長辺が１３０ｍｍ〜１６５ｍｍであり、
前記長方形領域と、当該紙面における前記長方形領域以外の領域とは、第一の切離し線が境界となって区別されている、書籍。
【請求項２】
前記長方形領域又はその裏面に、郵便番号枠が設けられている、請求項１記載の書籍。
【請求項３】
前記長方形領域は、当該遊び紙から切り取った場合の重さが２ｇ〜６ｇである、請求項１又は２記載の書籍。
【請求項４】
前記長方形領域又はその裏面に、当該書籍の読者アンケートとしての記入欄が設けられている、請求項１〜３のいずれか一項記載の書籍。
【請求項５】
前記長方形領域又はその裏面に、当該書籍に関する、概要、要旨、梗概、粗筋、又は、推薦文が記載されている、請求項１〜４のいずれか一項記載の書籍。
【請求項６】
前記長方形領域又はその裏面に、当該書籍の書名が記されている、請求項４又は５記載の書籍。
【請求項７】
前記遊び紙には、前記長方形領域を含む部分を当該書籍から切り離すことができる第二の切離し線が設けられており、
前記第二の切離し線は、前記長方形領域よりもノド側の領域において、天地方向に前記遊び紙の端から端まで延びるように設けられている、請求項１〜６のいずれか一項記載の書籍。
【請求項８】
ＩＳＢＮが付与されている、請求項１〜７のいずれか一項記載の書籍。
【発明の詳細な説明】
【技術分野】
【０００１】  本発明は、書籍に関する。より詳しくは、見返しの遊び紙の紙面において、略長方形に画された長方形領域を有する書籍に関する。
【背景技術】
【０００２】  書店で販売される書籍には、葉書が挟まれている場合がある。この葉書は、例えば読者アンケートを実施することを目的としており、読者に内容を記入してもらって返信されることを期待するものである。
【先行技術文献】
【特許文献】
【０００３】
【特許文献１】なし
【発明の概要】
【発明が解決しようとする課題】
【０００４】  当該葉書は、書籍を製本した後に手作業で挟み込むものであるため、労力が掛かる。また、紙代が嵩み、葉書自体が資源の浪費につながる。従って、出版社としては、葉書を用いた読者アンケート等がマーケティングに役立つとはいうものの、上記種々の問題点があるが故に、こうした葉書の採用には慎重になる。【０００５】  そこで、葉書を挟み込む労力が掛からず、紙代も嵩まず、資源の浪費にもならない様式で葉書と同等の機能を提供することができる書籍が望まれる。
【課題を解決するための手段】
【０００６】  本発明は、見返しの遊び紙の紙面において、略長方形に画された長方形領域を有し、長方形領域は、短辺が８０ｍｍ〜１２０ｍｍ、又は、長辺が１３０ｍｍ〜１６５ｍｍであり、長方形領域と、当該紙面における長方形領域以外の領域とは、第一の切離し線が境界となって区別されている書籍を提供する。【０００７】  この書籍において、見返しの遊び紙の第一の切離し線に沿って上記所定の大きさの長方形領域を切り取ることで、葉書として手頃な大きさの紙が手に入る。これによれば、多くの書籍が有している見返しに長方形領域を設けることによってこれを葉書として利用することができるので、マーケティング活動等のために書籍に葉書を挟み込む労力を執る必要がなくなる。また、見返しを利用するので紙代が別途かかることもなく、資源の浪費にもならない。【０００８】  ここで、長方形領域又はその裏面に、郵便番号枠が設けられていることが好ましい。これによれば、長方形領域を葉書として利用することができることが一目瞭然となる。【０００９】  また、長方形領域は、当該遊び紙から切り取った場合の重さが２ｇ〜６ｇであることが好ましい。この場合、長方形領域が葉書として相応しい厚さを有することを意味する。【００１０】  本発明の一態様として、長方形領域又はその裏面に、当該書籍の読者アンケートとしての記入欄が設けられていてもよい。これによれば、切り取った部分を読者アンケート用葉書として利用することができる。【００１１】  本発明の他の一態様として、長方形領域又はその裏面に、当該書籍に関する、概要、要旨、梗概、粗筋、又は、推薦文が記載されていてもよい。これによれば、読者がその書籍を他人に紹介したいときに便利である。【００１２】  上記いずれの態様においても、長方形領域又はその裏面に、当該書籍の書名が記されていることが好ましい。この場合、書籍と葉書内容との紐付けがなされて便利である。【００１３】  また、本発明においては、遊び紙には、長方形領域を含む部分を当該書籍から切り離すことができる第二の切離し線が設けられており、第二の切離し線は、長方形領域よりもノド側の領域において、天地方向に遊び紙の端から端まで延びるように設けられていることが好ましい。これによれば、先に第二の切離し線によって遊び紙を当該書籍から切り離し、その後に長方形領域を切り取ることで、容易に長方形領域を切り取ることができる。また、遊び紙を切り離した後の残り部分の見映えを美しくすることができる。【００１４】  上記書籍は、ＩＳＢＮが付与されているものであることが好ましい。
【発明の効果】
【００１５】  本発明によれば、葉書を挟み込む労力が掛からず、紙代も嵩まず、資源の浪費にもならない様式で葉書と同等の機能を提供することができる書籍を得られる。
【図面の簡単な説明】
【００１６】
【図１】本発明の一実施形態に係る書籍を示す図である。
【図２】（ａ）は、遊び紙のうち長方形領域が設けられた側の紙面を示す図である。（ｂ）は、（ａ）の裏面を示す図である。
【図３】（ａ）は、長方形領域が設けられる位置を変えた態様を示す図である。（ｂ）は、第一及び第二の切離し線が罫線である態様を示す図である。
【図４】（ａ）は、第二の切離し線が第一の切離し線の一部を兼ねている態様を示す図である。（ｂ）は、長方形領域を二面取りにした態様を示す図である。
【発明を実施するための形態】
【００１７】  以下、本発明の好適な実施形態について、図面を参照しながら説明する。なお、参照する図面においては同一部分又は相当部分には同一符号を付し、重複する説明は省略する。
【００１８】（書籍の構成）
書籍は一般に、先頭から順に表表紙、見返し、前付（扉、口絵、序文、凡例、目次等）、本文、後付（あとがき、奥付等）、見返し及び裏表紙を有して構成されている。書籍は、ここでは上製本であっても並製本であってもよい。そして、流通する書籍には一般に、ＩＳＢＮ（Ｉｎｔｅｒｎａｔｉｏｎａｌ  Ｓｔａｎｄａｒｄ  Ｂｏｏｋ  Ｎｕｍｂｅｒｉｎｇ；国際標準図書番号体系）が付与されている。
【００１９】  図１及び図２（ａ）に示されているとおり、本実施形態の書籍１は、本文が横書きである書籍（すなわち左開きの本）であり、その表表紙側の見返し２に、長方形に画された長方形領域３が設けられている。より詳しくは、見返し２のうち、効き紙２ａのほうではなく遊び紙２ｂのほうであって、その表裏二つの面のうち表表紙に近い側の面に、長方形領域３が設けられている。ここで、「効き紙」とは、見返しのうち表表紙の内側面（裏側面）に貼り合わされている部分をいい、「遊び紙」とは、見返しのうち、見開きで効き紙の反対側にあって、書籍を閉じたときに効き紙と対面する紙をいう。なお、書籍１は、菊判（横１５２ｍｍ×縦２１８ｍｍ；書籍サイズとしての“菊判”）の判型であり、図１では並製本である書籍１の表紙や背を覆う書籍カバーを取り外した状態を示している。
【００２０】  長方形領域３は、遊び紙２ｂの右上隅に縦長とされて位置している。すなわち、遊び紙２ｂの上辺の一部が長方形領域３の短辺の一つを形成し、遊び紙２ｂの小口側の辺の一部が長方形領域３の長辺の一つを形成している。そして、長方形領域３の他の短辺及び長辺はミシン目（第一の切離し線）４として形成されており、このミシン目４が、長方形領域３と、遊び紙２ｂの紙面における長方形領域３以外の領域５との境界線となっている。
【００２１】  長方形領域の短辺は、８０ｍｍ〜１２０ｍｍであり、好ましくは８５ｍｍ〜１１２ｍｍであり、より好ましくは９０ｍｍ〜１０７ｍｍである。長方形領域の長辺は、１３０ｍｍ〜１６５ｍｍであり、好ましくは１３５ｍｍ〜１６０ｍｍであり、より好ましくは１４０ｍｍ〜１５４ｍｍである。
【００２２】  長方形領域３の上部には、郵便番号枠６が印刷されている。そして、郵便番号枠６内には書籍１を発行した出版社の郵便番号が印刷されている。また、長方形領域３には、長方形領域３を葉書とみなしたときに住所と宛先を書くべき領域に、それぞれ出版社の住所と社名が印刷されている。また、郵便番号枠６の左側には、切手を貼るための領域が設けられている。
【００２３】  郵便番号枠６の上方には、「郵便はがき」の文字が記されている。
【００２４】  長方形領域３は、遊び紙２ｂから切り取った場合の重さが２ｇ〜６ｇである。この重さとなるように、見返し２の紙質を選択する。
【００２５】  図２（ｂ）に示されているとおり、遊び紙２ｂの裏面のうち、長方形領域３に対応する裏面部分には、書籍１の読者アンケートとしての記入欄７が設けられている。そこには書籍１の書名が記されている。
【００２６】  遊び紙２ｂには、長方形領域３よりもノド側の領域において、天地方向に遊び紙２ｂの端から端まで延びるミシン目（第二の切離し線）８が設けられている。このミシン目８により、長方形領域３を含む遊び紙２ｂを書籍１から切り離すことが可能とされている。
【００２７】（作用効果）
この書籍１は、遊び紙２ｂのミシン目４に沿って上記所定の大きさの長方形領域３を切り取ることで、葉書として手頃な大きさの紙が手に入る。これによれば、多くの書籍が有している見返しに長方形領域を設けることによってこれを葉書として利用することができるので、マーケティング活動等のために書籍に葉書を挟み込む労力を執る必要がなくなる。また、見返し２を利用するので紙代が別途かかることもなく、資源の浪費にもならない。
【００２８】  また、長方形領域３には郵便番号枠６が設けられているので、長方形領域３を遊び紙２ｂから切り取って葉書として利用することができることが一目瞭然である。また、郵便番号枠６の上方に記された「郵便はがき」の文字によって、その認識が一層容易となっている。
【００２９】  また、書籍１においては、長方形領域３は遊び紙２ｂから切り出した場合の重さが２ｇ〜６ｇであるので、葉書として相応しい厚さを有しているといえる。
【００３０】  また、長方形領域３の裏面には書籍１の読者アンケートとしての記入欄７が設けられているので、長方形領域３を読者アンケート用葉書として利用することができる。
【００３１】  また、長方形領域３の裏面には、書籍１の書名が記されているので、書籍１と葉書内容との紐付けがなされており、長方形領域３を遊び紙２ｂから切り取った後にもその対象書籍を容易に識別することができる。すなわち、切り取られた長方形領域３がどの書籍に帰属すべきものであるのかを容易に識別することができる。
【００３２】  また、長方形領域３よりもノド側の領域において設けられたミシン目８によって長方形領域３を含む部分を書籍１から切り離すことができるので、これによれば、先にミシン目８によって遊び紙２ｂを書籍１から切り離し、その後に長方形領域３を切り取ることで、容易に長方形領域３を分離することができる。また、遊び紙２ｂを切り離した後の残り部分の見映えを美しくすることができる。
【００３３】  以上、本発明の好適な実施形態について説明したが、本発明は上記実施形態に何ら限定されるものではない。以下、種々の変形例を例示する。いずれにしても、長方形領域３は、葉書として使用されることが予定されている。
【００３４】  上記実施形態では、長方形領域３が遊び紙２ｂの上辺及び小口側の辺を利用するように遊び紙２ｂの右上隅に位置している態様を示したが、図３（ａ）に示されているとおり、長方形領域３は、遊び紙２ｂの辺を利用しないで遊び紙２ｂの中央に位置する態様としてもよい。この場合、郵便番号枠、住所、宛先、ミシン目を設ける位置の裕度が高くなるので好ましい。
【００３５】  また、上記実施形態では第一の切離し線がミシン目である態様を示したが、図３（ｂ）に示されているとおり、第一の切離し線は、罫線（実線、破線、飾り罫等）であってもよい。また、第二の切離し線もミシン目でなく罫線であってもよい。この場合、遊び紙２ｂとなる紙にミシン目を設ける工程が不要であるので好ましい。なお、ミシン目４又はミシン目８が罫線である場合は、当該罫線が切離し線であることを認識しやすいように、罫線の途中又は罫線の近傍に「キリトリセン」の文字やハサミを象った図形を伴っていることが好ましい。
【００３６】  また、上記実施形態では遊び紙２ｂに第一の切離し線であるミシン目４と第二の切離し線であるミシン目８とが設けられた態様を示したが、図４（ａ）に示されているとおり、これらは一方の切離し線が他方の切離し線の一部又は全部を兼ねていてもよい。また、長方形領域３は一枚の遊び紙２ｂに対して二面取りとしてもよい。図４（ｂ）には、第二の切離し線であるミシン目８が第一の切離し線であるミシン目４の一部を兼ね、且つ、長方形領域３を二面取りとした様子が示されている。
【００３７】  また、上記実施形態では郵便番号枠６の上方に「郵便はがき」の文字が記されている態様を示したが、この文字は、「郵便ハガキ」、「郵便葉書」、「ゆうびん葉書」、「ゆうびんはがき」、「ゆうびんハガキ」及び「郵便用はがき」のように、「郵便はがき」と同等の意味をもつ他の表記の文字であってもよい。或いは、これらの文字が記されていなくてもよい。
【００３８】  また、上記実施形態では長方形領域３の裏面に読者アンケートとしての記入欄７が設けられている態様を示したが、読者アンケートとしての記入欄７に代えて、書籍１に関する、概要、要旨、梗概、粗筋、又は、推薦文が記載されていてもよい。この場合、長方形領域３側には住所や宛先を記入する欄が空欄とされる。これによれば、読者が長方形領域３を葉書として利用して書籍１を知人や友人に紹介したいときに便利である。
【００３９】  また、上記実施形態では、遊び紙２ｂの表裏二つの面のうち表表紙に近い側の面に郵便番号枠６が設けられ、その裏面に読者アンケートとしての記入欄７が設けられている態様を示したが、これらは裏表逆に設けられていてもよい。
【００４０】  また、上記実施形態では長方形領域３が長方形である態様を示したが、葉書として使用することができる形状であればよく、必ずしも正確な長方形である必要はない。例えば、角丸長方形であってもよく、台形や平行四辺形であってもよく、辺の一部に切欠きがあってもよい。
【００４１】  また、上記実施形態では、切手を貼るための領域が設けられた態様を示したが、当該領域には「料金受取人払」や「差出有効期間」や「切手不要」や「××局承認」等の文字が印刷されていてもよい。すなわち、郵便料金が受取人払いであることや、郵便料金が切手の貼付によらない手段で支払われることを示す文字が印刷されていてもよい。
【００４２】  また、上記実施形態では、本文が横書きである書籍の例を示したが、本文が縦書きである書籍（すなわち右開きの本）であってもよい。
【産業上の利用可能性】
【００４３】  本発明は、見返しの遊び紙を有する書籍全般において利用可能である。
【符号の説明】
【００４４】  １    …書籍
２    …見返し
２ａ  …効き紙
２ｂ  …遊び紙
３    …長方形領域
４    …ミシン目（第一の切離し線）
５    …長方形領域以外の領域
６    …郵便番号枠
７    …読者アンケートとしての記入欄
８    …ミシン目（第二の切離し線）
【図１】
2016215616.tif 000003
【図２】
2016215616.tif 000004
【図３】
2016215616.tif 000005
【図４】
2016215616.tif 000006
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
見返しの遊び紙の紙面において、略長方形に画された長方形領域を有し、
前記長方形領域は、短辺が８０ｍｍ〜１２０ｍｍ、又は、長辺が１３０ｍｍ〜１６５ｍｍであり、
前記長方形領域又はその裏面に、当該書籍の読者アンケートとしての記入欄が設けられており、
前記長方形領域と、当該紙面における前記長方形領域以外の領域とは、第一の切離し線が境界となって区別されている、書籍。
【請求項２】
前記長方形領域又はその裏面に、郵便番号枠が設けられている、請求項１記載の書籍。
【請求項３】
前記長方形領域は、当該遊び紙から切り取った場合の重さが２ｇ〜６ｇである、請求項１又は２記載の書籍。
【請求項４】
前記長方形領域又はその裏面に、住所が印刷されている、請求項１〜３のいずれか一項記載の書籍。
【請求項５】
前記長方形領域又はその裏面に、当該書籍に関する、概要、要旨、梗概、粗筋、又は、推薦文が記載されている、請求項１〜４のいずれか一項記載の書籍。
【請求項６】
前記長方形領域又はその裏面に、当該書籍の書名が記されている、請求項４又は５記載の書籍。
【請求項７】
前記遊び紙には、前記長方形領域を含む部分を当該書籍から切り離すことができる第二の切離し線が設けられており、
前記第二の切離し線は、前記長方形領域よりもノド側の領域において、天地方向に前記遊び紙の端から端まで延びるように設けられている、請求項１〜６のいずれか一項記載の書籍。
【請求項８】
ＩＳＢＮが付与されている、請求項１〜７のいずれか一項記載の書籍。